(57)【要約】【課題】室内等の熱気を効果的に排出することができ、しかも、それを経済的に行うことができる排熱機構を提供する。【解決手段】自然排熱用の排熱口１と、該排熱口１の開度を変化させる蓋６と、排熱口１に設けられた排熱ファン７と、蓋６に連結され、温度を感知し、排熱口の開度を温度の上昇に伴って大きくする動作を行うワックスシリンダー８と、常時はオフで排熱ファン７を停止状態にし、排熱口１がワックスシリンダー８により所定の自然排熱開度を越えたときワックスシリンダー８の動作によってオンに切り換えられ、排熱ファン７を駆動させて強制排熱を行わせるスイッチ１０とが備えられている。【選択図】      図１
2007101078.tif 000002
【特許請求の範囲】
【請求項１】
自然排熱用の排熱口と、
該排熱口の開度を変化させる蓋と、
排熱口に設けられた排熱ファンと、
蓋に連結され、温度を感知し、排熱口の開度を温度の上昇に伴って大きくする動作を行うワックスシリンダーと、
常時はオフで排熱ファンを停止状態にし、排熱口がワックスシリンダーにより所定の自然排熱開度を越えたときワックスシリンダーの動作によってオンに切り換えられ、排熱ファンを駆動させて強制排熱を行わせるスイッチと
が備えられていることを特徴とする排熱機構。
【請求項２】
自然排熱用の排熱口と、
該排熱口の開度を変化させる蓋と、
排熱口に設けられた排熱ファンと、
蓋に連結され、排熱口の開度を変化させる動作を行うアクチュエータと、
温度感知部と、
温度感知部に感知される温度の上昇に伴ってアクチュエータに排熱口の開度を大きくする動作を行わせるアクチュエータ動作制御部と、
常時は排熱ファンを停止状態にし、排熱口がアクチュエータにより所定の自然排熱開度を越えたとき排熱ファンを駆動させて強制排熱を行わせるファン駆動制御部と
が備えられていることを特徴とする排熱機構。
【発明の詳細な説明】
【技術分野】
【０００１】
本発明は、室内等の排熱機構に関する。
【背景技術】
【０００２】
住宅等の建物において、天井面に設けたファン駆動形の強制排気口によって室内の熱気を小屋裏などに強制排出するようにしたものは提供されている。
【発明の開示】
【発明が解決しようとする課題】
【０００３】
しかしながら、上記の排熱機構は、室内の熱気をファンによる強制排気のみで排出するものであるため、ファンの駆動に多くのエネルギーを必要とし、ランニングコストが高くつくという問題がある。
【０００４】
本発明は、上記のような問題点に鑑み、室内等の熱気を効果的に排出することができ、しかも、それを経済的に行うことができる排熱機構を提供することを課題とする。
【課題を解決するための手段】
【０００５】
上記の課題は、自然排熱用の排熱口と、
該排熱口の開度を変化させる蓋と、
排熱口に設けられた排熱ファンと、
蓋に連結され、温度を感知し、排熱口の開度を温度の上昇に伴って大きくする動作を行うワックスシリンダーと、
常時はオフで排熱ファンを停止状態にし、排熱口がワックスシリンダーにより所定の自然排熱開度を越えたときワックスシリンダーの動作によってオンに切り換えられ、排熱ファンを駆動させて強制排熱を行わせるスイッチと
が備えられていることを特徴とする排熱機構によって解決される。
【０００６】
この排熱機構では、温度の上昇に伴って、まず、排気口の開度が大きくなっていき、自然排熱がなされやすい状態になっていく。そして、更なる温度の上昇に伴って所定の自然排熱開度を越えたとき、はじめて、排熱ファンが駆動し、強制排熱が行われる。このように、自然排熱を有効利用しながら、自然排熱では不足のとき、ファンによる強制排熱が行われるようになされているので、熱気を自然排気と強制排気によって効果的に排出することができ、それでいて、ファンの駆動時間を短縮して熱気を経済的に排出することができる。
【０００７】
特に、上記の排熱機構では、ワックスシリンダーを、開度を変化させるアクチュエータとし、シリンダー内に備えさせたワックスに、温度の感知と、アクチュエータの動作制御を行わせるようにしており、また、ファンのオンオフ駆動制御のためにスイッチを用い、スイッチのオンオフ切換えをワックスシリンダーの前記動作によって行わせるようにしているので、一連の動作を簡素な構造で経済的に行わせることができる。
【０００８】
まだ、上記の課題は、
自然排熱用の排熱口と、
該排熱口の開度を変化させる蓋と、
排熱口に設けられた排熱ファンと、
蓋に連結され、排熱口の開度を変化させる動作を行うアクチュエータと、
温度感知部と、
温度感知部に感知される温度の上昇に伴ってアクチュエータに排熱口の開度を大きくする動作を行わせるアクチュエータ動作制御部と、
常時は排熱ファンを停止状態にし、排熱口がアクチュエータにより所定の自然排熱開度を越えたとき排熱ファンを駆動させて強制排熱を行わせるファン駆動制御部と
が備えられていることを特徴とする排熱機構によっても解決され、熱気を自然排気と強制排気によって効果的に排出することができ、それでいて、ファンの駆動時間を短縮して熱気を経済的に排出することができる。
【発明の効果】
【０００９】
本発明は、以上のとおりのものであるから、室内等の熱気を効果的に排出することができ、しかも、それを経済的に行うことができる。また、自然排熱のみによる場合に比べて、高温域での排熱を効果的なものにすることができる。
【発明を実施するための最良の形態】
【００１０】
次に、本発明の実施最良形態を図面に基づいて説明する。
【００１１】
図１〜図３に示す実施形態の排熱機構は、図３（ロ）に示すように、自然排熱用の排熱口１が建物内の天井側に設けられ、室内２の熱気が該排熱口１を通じて小屋裏３に排出され、小屋裏３から棟部等を通じて屋外に排出されるようになされている。なお、４は窓であり、該窓４などから自然給気が行われるようになされている。
【００１２】
上記の排熱口１には、図１（イ）に示すように、小屋裏３側に突出する風洞５が設けられ、風洞５の上端開口部には、排熱口１の開度を変化させる蓋６が備えられると共に、風洞５内には強制排熱用のファン７が設けられている。
【００１３】
そして、風洞５には、その内部側において、アクチュエータとしてのワックスシリンダー８が上向きにされて固着状態に取り付けられると共に、ワックスシリンダー８のピストン８ａが蓋６に固着状態に連結され、ワックスシリンダー８は、温度感知部及びアクチュエータ動作制御部として機能する内部の図示しないワックスが温度を感知し、図１（ロ）に示すように、温度の上昇に伴って蓋６を上昇させて排熱口１の開度を大きくする動作を行うようになされている。
【００１４】
また、風洞５には、逆Ｌ形のブラケット９が、風洞５の上方に突出し上辺部を内向きにするように備えられると共に、ブラケット９の上辺部に、ファン駆動制御部としてのスイッチ１０が取り付けられ、スイッチ１０は、常時はオフで、図１（ハ）に示すように、排熱口１がワックスシリンダー８による蓋６の上昇によって最大自然排熱開度を越えたとき、ワックスシリンダー８の動作によって、蓋６を介してオンに切り換えられ、排熱ファン７が駆動するようになされている。なお、スイッチ１０は、接触式のものであってもよいし、非接触式のものであってもよいし、機械式のものであってもよいし、電気式のものや磁気式のものなどであってもよい。
【００１５】
本実施形態では、ワックスシリンダー８は、図３（イ）に示すように、温度が２７°Ｃに至るまでは、進出動作をせず、風洞５の上端部が蓋６で閉じられた開度ゼロの状態を保持し、２７°Ｃを越えて３２°Ｃに上昇していく過程では、進出動作を行っていき、その温度上昇に伴って、開度がゼロの状態から最大自然排熱開度へと大きくなっていき、そして、３２°Ｃを越えたら、最大自然排熱開度を保持する動作を行うようになされている。
【００１６】
上記の排熱機構では、室内２の温度が２７°Ｃ以下では、図２（イ）に示すように、蓋６が閉じられ排熱口１の開度がゼロであることにより、排熱口１を通じた自然排気はなされず、従って、例えば、冬季に室内の暖房時に暖房熱が屋外に排出されてしまうのが防がれる。
【００１７】
また、室内２の温度が２７°Ｃを越えると、図２（ロ）に示すように、ワックスシリンダー８が伸長動作を開始して、排熱口１が開き、自然通風によって室内２の熱気が排熱口１を通じて小屋裏３側に排出されていく。室内２の温度が２７°Ｃから３２°Ｃまでの間は、温度が高ければ高いほど、排熱口１の開度は大きくなり、自然通風による排熱が促進されやすくなる。
【００１８】
そして、夏季の日中などにおいて、室内２の温度が３２°Ｃを越えると、図２（ハ）に示すように、排熱口１は最大自然排熱開度を保持し、同時に排熱ファン７が駆動を開始して、強制排熱が行われる。
【００１９】
また、本実施形態では、排熱作用によって、室内２の温度が３２°Ｃから２７°Ｃの範囲に戻ると、ファン７は停止し、自然通風による排熱が行われ、２７°Ｃを下回ると蓋６が閉じられて排熱動作が停止する。
【００２０】
このように、上記の排熱機構では、自然排熱を有効利用しながら、自然排熱では不足のとき、ファンによる強制排熱が行われるようになされているので、室内２の熱気を自然排気と強制排気によって効果的に排出することができ、それでいて、ファンの駆動時間を短縮して熱気を経済的に排出することができる。
【００２１】
特に、本実施形態の排熱機構では、ワックスシリンダー８を開度を変化させるアクチュエータとし、シリンダー内に備えさせたワックスに、温度の感知と、アクチュエータの動作制御を行わせるようにしており、また、ファン７のオンオフ駆動制御のためにスイッチ１０を用い、スイッチ１０のオンオフ切換えをワックスシリンダー８の前記動作によって行わせるようにしているので、一連の動作を簡素な構造で経済的に行わせることができる。
【００２２】
以上に、本発明の実施形態を示したが、本発明はこれに限られるものではなく、発明思想を逸脱しない範囲で各種の変更が可能である。例えば、上記の実施形態では、アクチュエータ、温度感知部及びアクチュエータ動作制御部として、ワックスシリンダー８を用いた場合を示したが、電気式等によるその他のアクチュエータ、温度感知部、アクチュエータ動作制御部が用いられてもよい。
【００２３】
また、上記の実施形態では、２７°Ｃを下回ると蓋６が閉じられて排熱動作が停止するようになされ、また、３２°Ｃを越えると排熱口１の開度が最大開度を保持するようになされているが、２７°Ｃを下回っても開度がゼロを越えた状態となっているようにしてもよいし、また、３２°Ｃを越えても、排熱口１の開度が更に大きくなっていくようにしてもよい。温度の設定値についても、制限はない。
【００２４】
また、上記の実施形態では、排熱口が天井側に設けられている場合を示したが、壁側などに備えられていてもよい。
【図面の簡単な説明】
【００２５】
【図１】図（イ）〜図（ハ）は実施形態の排熱機構とその作動状態を示す断面正面図である。
【図２】図（イ）〜図（ハ）はそれぞれの作動状態における室内排熱作動状態を示す断面正面図である。
【図３】図（イ）は温度とワックスシリンダーの進出長との関係を示すグラフ、図（ロ）は排熱機構が組み込まれた建物の正面図である。
【符号の説明】
【００２６】
１…排熱口
２…室内
６…蓋
７…排熱ファン
８…ワックスシリンダー（アクチュエータ、温度感知部、アクチュエータ動作制御部）
１０…スイッチ（ファン駆動制御部）
【図１】
2007101078.tif 000003
【図２】
2007101078.tif 000004
【図３】
2007101078.tif 000005